(57)【要約】【課題】物差しを収容するための物差し収容部を、筐体に設けられた装着部に備えると、インクジェットプリンターの製造コストが増加するという課題がある。【解決手段】液体噴射ヘッド３と、インクを貯留し、貯留されたインクの水位が視認可能なインクタンク１１と、液体噴射ヘッド３とインクタンク１１とを連通する液体チューブ４と、液体噴射ヘッド３を収容した筐体２とは別体に構成され、インクタンク１１を収容したタンク収容ケース１０と、タンク収容ケース１０に設けられ、物差し２０を収容する物差し収容部と、を備えた記録装置を提供する。【選択図】図１
2014046556.tif 000002
【特許請求の範囲】
【請求項１】
液体を噴射する液体噴射ヘッドと、
前記液体を貯留し、貯留された前記液体の水位が視認可能な液体タンクと、
前記液体噴射ヘッドと前記液体タンクとを連通する導管と、
前記液体噴射ヘッドを収容した筐体とは別体に構成され、前記液体タンクを収容したタンク収容ケースと、
前記タンク収容ケースに設けられ、前記水位を測定するための物差しを収容する物差し収容部と、を備えたことを特徴とする記録装置。
【請求項２】
請求項１に記載の記録装置であって、
前記物差し収容部は、前記タンク収容ケースに設けられ、前記物差しが通る開口部と、前記タンク収容ケースの側壁部の内側に水平方向に立設して前記物差しを鉛直方向下側から支持する水平壁部とを有し、前記タンク収容ケースの内部に設けられたことを特徴とする記録装置。
【請求項３】
請求項１に記載の記録装置であって、
前記物差し収容部は、前記タンク収容ケースの側壁部の外側に設けられ、前記物差しが通る開口部を有する容器を形成することを特徴とする記録装置。
【請求項４】
請求項１に記載の記録装置であって、
前記物差し収容部は、前記物差しを着脱可能に固定する固定部材を備えたことを特徴とする記録装置。
【請求項５】
請求項３に記載の記録装置であって、
前記容器は、箱状であることを特徴とする記録装置。
【請求項６】
請求項３に記載の記録装置であって、
前記容器は、袋状であることを特徴とする記録装置。
【請求項７】
請求項４に記載の記録装置であって、
前記固定部材は、マジックテープ（登録商標）であることを特徴とする記録装置。
【請求項８】
請求項１から請求項７のいずれか一項に記載の記録装置であって、
前記物差し収容部は、前記物差しの長手方向が鉛直方向になる姿勢で前記物差しを収容することを特徴とする記録装置。
【請求項９】
請求項１から請求項７のいずれか一項に記載の記録装置であって、
前記物差し収容部は、前記物差しの長手方向が水平方向になる姿勢で前記物差しを収容することを特徴とする記録装置。
【発明の詳細な説明】
【技術分野】
【０００１】
本発明は、記録装置に関する。
【背景技術】
【０００２】
記録装置としてのインクジェットプリンターは、液体噴射ヘッドからインクを噴射して用紙などの記録媒体に文字や画像を記録する。液体噴射ヘッドから噴射されるインクは、液体噴射ヘッドを備えて往復移動するキャリッジに搭載されたインクカートリッジやキャリッジの外側で筐体内に備えられたインクカートリッジから供給される。
オフィス向けまたは業務用に提供されるインクジェットプリンターでは、比較的大量の印刷に対応させるために、大容量のインクカートリッジを配置する必要性が生じている。そこで、例えば特許文献１では、筐体の外側に配置されたインクタンクからチューブを介して液体噴射ヘッドにインクを供給する。
図１０（ａ）は、従来のインクジェットプリンター２００の外観斜視図である。インクジェットプリンター２００には、電源のオン・オフの操作や印刷条件の設定を行うための操作ボタン２０３が備えられる。インクジェットプリンター２００は、用紙サポート２０１に載置された用紙Ｐを筐体２０２内部に給紙し、筐体２０２内部で液体噴射ヘッド２０８によって画像を用紙Ｐに形成する。画像が形成された用紙Ｐは、排出口２０４から排出される。インクタンク２１１を収容したタンク収容ケース２１０は、筐体２０２の側面に設けられた装着部２０５と係合可能な係合部２１２を有し、装着部２０５に着脱可能に備えられる。
筐体２０２の外部に設けられたインクタンク２１１からチューブ２０７を介して液体噴射ヘッド２０８にインクを供給する場合、インクタンク２１１内部のインク残量が所定量より少なくなっていると、インクタンク２１１内部の空気がチューブ２０７に混入してしまうことがある。チューブ２０７の中に空気が入ってしまうと液体噴射ヘッド２０８に空気が供給されてしまい、液体噴射ヘッド２０８内にインクが存在しない状態で噴射動作が行われてしまう。
そこで、物差し２２０を収容するための収容部２０６を、例えば装着部２０５に設け、使用者は、物差し２２０を収容部２０６から取り出し、図１０（ｂ）に示すように、インクタンク２１１に貯留された設置面ＰＦからのインクの水位ＬＶを測定し、水位ＬＶが所定の高さより低いときは、インクタンク２１１にインクを充填することが行われる。
【先行技術文献】
【特許文献】
【０００３】
【特許文献１】特開２００６−２１２８４５号公報
【発明の概要】
【発明が解決しようとする課題】
【０００４】
しかしながら、大きさや外観形状が異なる種々のインクジェットプリンターが提供される。そのため、種々のインクジェットプリンターにおけるそれぞれの筐体に、物差しを収容するための収容部を個別に設けなくてはならないので、インクジェットプリンターの製造コストが増加するという課題がある。
【課題を解決するための手段】
【０００５】
本発明は、上述の課題の少なくとも一部を解決するためになされたものであり、以下の形態または適用例として実現することが可能である。
【０００６】
［適用例１］液体を噴射する液体噴射ヘッドと、前記液体を貯留し、貯留された前記液体の水位が視認可能な液体タンクと、前記液体噴射ヘッドと前記液体タンクとを連通する導管と、前記液体噴射ヘッドを収容した筐体とは別体に構成され、前記液体タンクを収容したタンク収容ケースと、前記タンク収容ケースに設けられ、前記水位を測定するための物差しを収容する物差し収容部と、を備えたことを特徴とする記録装置。
【０００７】
本適用例によれば、物差しを収容する物差し収容部をタンク収容ケースに設ける。これにより、物差しを収容する物差し収容部が備えられたタンク収容ケースを、外観や大きさの異なる複数の筐体に対して共通のタンク収容ケースとして備えることができる。そのため、物差しを収容する物差し収容部を筐体に設けなくてもよいので、記録装置の製造コストの増加を抑制できる。
【０００８】
［適用例２］前記物差し収容部は、前記タンク収容ケースに設けられ、前記物差しが通る開口部と、前記タンク収容ケースの側壁部の内側に水平方向に立設して前記物差しを鉛直方向下側から支持する水平壁部とを有し、前記タンク収容ケースの内部に設けられたことを特徴とする上記記録装置。
【０００９】
本適用例によれば、物差しがタンク収容ケースの内部に収容されるので、美観がよい。
【００１０】
［適用例３］前記物差し収容部は、前記タンク収容ケースの側壁部の外側に設けられ、前記物差しが通る開口部を有する容器を形成することを特徴とする上記記録装置。
【００１１】
本適用例によれば、物差しがタンク収容ケースの外側に収容されるので、タンク収容ケースにおける物差し収容部を除く部分を小さくできる。
【００１２】
［適用例４］前記物差し収容部は、前記物差しを着脱可能に固定する固定部材を備えたことを特徴とする上記記録装置。
【００１３】
本適用例によれば、物差しを装着した状態において、物差しが物差し収容部から離脱することを抑制できる。
【００１４】
［適用例５］前記容器は、箱状であることを特徴とする上記記録装置。
【００１５】
本適用例によれば、使用者は、物差しを、物差し収容部に収容したり物差し収容部から取り出したりすることが容易である。
【００１６】
［適用例６］前記容器は、袋状であることを特徴とする上記記録装置。
【００１７】
本適用例によれば、物差し収容部を小さくすることができる。
【００１８】
［適用例７］前記固定部材は、マジックテープ（登録商標）であることを特徴とする上記記録装置。
【００１９】
本適用例によれば、製造コストの増加を抑制できる。
【００２０】
［適用例８］前記物差し収容部は、前記物差しの長手方向が鉛直方向になる姿勢で前記物差しを収容することを特徴とする上記記録装置。
【００２１】
本適用例によれば、使用者は、物差しを鉛直方向上側に引き出し、物差しの長手方向が鉛直方向のそのままの姿勢で水位を測定すればよいので、容易に測定できる。また、測定した後、自重によって容易に物差しを収容できる。
【００２２】
［適用例９］前記物差し収容部は、前記物差しの長手方向が水平方向になる姿勢で前記物差しを収容することを特徴とする上記記録装置。
【００２３】
本適用例によれば、物差しを収容した状態において鉛直方向における高さを抑制できる。
【図面の簡単な説明】
【００２４】
【図１】（ａ）は、実施形態１における記録装置を正面側から見た外観斜視図、（ｂ）は、インクタンクに貯留されたインクの水位を測定する様子を示す斜視図、（ｃ）は、物差しの長手方向を示す図。
【図２】インクタンクが収容されたタンク収容ケースの断面図。
【図３】実施形態１における別の記録装置を正面側から見た外観斜視図。
【図４】実施形態２におけるタンク収容ケースの外観斜視図。
【図５】（ａ）は、実施形態３におけるタンク収容ケースの外観斜視図、（ｂ）は、タンク収容ケースの断面図。
【図６】（ａ）は、実施形態４におけるタンク収容ケースの外観斜視図、（ｂ）は、物差し収容部の図。
【図７】（ａ）は、実施形態５におけるタンク収容ケースの外観斜視図、（ｂ）は、サックの斜視図。
【図８】（ａ）は、実施形態６におけるタンク収容ケースの外観斜視図、（ｂ）は、上側固定部材の斜視図、（ｃ）は、下側固定部材の斜視図。
【図９】帯状部材によって、物差しをタンク収容ケースの上壁部に固定した状態を示す斜視図。
【図１０】従来のインクジェットプリンターの外観斜視図。
【発明を実施するための形態】
【００２５】
以下、本発明の実施形態について、図面を参照して説明する。以下の説明において、上部、下部、上端部、下端部、上側、下側の記載は、鉛直方向における位置を示す。
【００２６】
（実施形態１）
図１（ａ）は、実施形態１における記録装置としてのインクジェットプリンター（以降は、プリンターという）１を正面側から見た外観斜視図である。筐体２の内部には、軸やレールなどのガイド部（不図示）に案内されて、移動方向Ｄ１に往復移動する液体噴射ヘッド３が備えられる。
【００２７】
筐体２の背面側には、記録媒体としての用紙Ｐを載置する用紙サポート６が備えられる。用紙サポート６に載置された用紙Ｐは、筐体２に備えられた給紙装置（不図示）によって筐体２の内部に給紙される。
【００２８】
筐体２の内部に給紙された用紙Ｐは、移動方向Ｄ１と交わる搬送方向Ｄ２に搬送される。液体噴射ヘッド３は、移動方向Ｄ１に往復移動しながら、搬送される用紙Ｐに対してインクを噴射し、用紙Ｐに文字や画像を記録する。文字や画像が形成された用紙Ｐは、排出口８から搬送方向Ｄ２下流側に排出される。筐体２には、電源のオン・オフの操作や、印刷条件の設定を行う操作ボタン７が備えられる。
【００２９】
タンク収容ケース１０は、筐体２の側面の装着部５に設けられた固定部５０１と係合可能な係合部１２を有する。これにより、タンク収容ケース１０は、装着部５に着脱可能に装着される。
【００３０】
タンク収容ケース１０には、イエロー、マゼンタ、シアン、モノクロのインクをそれぞれインク色別に貯留するインクタンク１１ｙ，１１ｍ，１１ｃ，１１ｂが収容される。以下、インクタンク１１として記載した場合は、インクタンク１１ｙ，１１ｍ，１１ｃ，１１ｂを意味する。
【００３１】
液体チューブ４は、インク色別に備えられたインクタンク１１の下部に接続されて、筐体２に設けられた貫通孔（不図示）を通り、液体噴射ヘッド３と連通する。液体チューブ４は、液体噴射ヘッド３の移動方向Ｄ１への移動に伴って変形が可能である。
【００３２】
インクタンク１１の筐体２側上部には、キャップ（不図示）が備えられ、使用者は、キャップを取り外し、上記インク色別のインクをそれぞれのインクタンク１１に注入することができる。使用者は、インクタンク１１に貯留されたインクの水位ＬＶを視認することができる。
【００３３】
タンク収容ケース１０の上壁部１０１には、物差し２０が通る開口部１３が形成されており、物差し２０を開口部１３に挿入し、物差し２０をタンク収容ケース１０の内部に収容できる。物差し２０がタンク収容ケース１０の内部に収容された状態では、物差し２０の上部が上壁部１０１から突出している。
【００３４】
図１（ｂ）は、インクタンク１１に貯留されたインクの水位ＬＶを測定する様子を示す斜視図である。使用者は、タンク収容ケース１０の内部に収容されている物差し２０を鉛直方向Ｄ３上側に引き出し、物差し２０の鉛直方向Ｄ３下端部を設置面ＰＦに当接した状態で、物差し２０をインクタンク１１の筐体２と反対側の側面に沿わせる。そして、使用者は、インクの水位ＬＶを物差し２０に設けられた目盛り２１によって測定する。
【００３５】
図２（ａ）は、物差し２０がタンク収容ケース１０の内部に収容された状態で、図１（ｂ）の破線Ａ−Ａ´の断面位置において矢印で示す移動方向Ｄ１から見た断面図である。図２（ａ）の上壁部１０１に設けられた開口部１３の下側には、タンク収容ケース１０における搬送方向Ｄ２上流側の側壁部である背面壁部１０２の内側に水平方向に立設する水平壁部１０３が形成されている。物差し２０の下端部は、水平壁部１０３に当接し、水平壁部１０３は、物差し２０の下端部を下側から支持する。
【００３６】
タンク収容ケース１０の内側には、インクタンク１１ｂの側面と背面壁部１０２と水平壁部１０３とによって囲まれた空間が形成され、この空間によって物差し２０を収容するための物差し収容部が形成される。図１（ｃ）は、物差し２０の長手方向Ｄ４を示す図である。物差し２０は、長手方向Ｄ４が鉛直方向Ｄ３となる状態でインクタンク１１ｂの内部に形成された物差し収容部に収容される。
【００３７】
図２（ｂ）は、図１（ｂ）の破線Ｂ−Ｂ´の断面位置において矢印で示す上側から見た断面図である。図２（ｂ）の背面壁部１０２から内側に立設し、鉛直方向Ｄ３に延びる鉛直壁部１０４が、物差し２０が収容された状態において、移動方向Ｄ１における物差し２０の両側に形成される。これにより、物差し２０が鉛直方向Ｄ３に対して傾斜することを抑制できる。
【００３８】
図３（ａ）は、図１（ａ）のプリンター１とは異なる別のプリンター１ａにタンク収容ケース１０を装着した状態における斜視図である。用紙サポート６０に載置された用紙Ｐは、筐体６２に備えられた給紙装置（不図示）によって筐体６２の内部に給紙される。
【００３９】
筐体６２の内部に給紙された用紙Ｐは、移動方向Ｄ１と交わる搬送方向Ｄ２に搬送される。筐体６２の内部に備えられた液体噴射ヘッド（不図示）は、移動方向Ｄ１に往復移動しながら、搬送される用紙Ｐに対してインクを噴射し、用紙Ｐに文字や画像を記録する。文字や画像が形成された用紙Ｐは、排出口６３から搬送方向Ｄ２下流側に排出される。筐体６２には、電源のオン・オフの操作や、印刷条件の設定を行う操作ボタン６１が備えられる。
【００４０】
タンク収容ケース１０の係合部１２が、筐体６２の上端部６２ａに設けられた凹部６４と係合または非係合の状態となることにより、タンク収容ケース１０は、筐体６２の上端部６２ａに着脱可能に装着される。インクタンク１１は、液体チューブ（不図示）によって液体噴射ヘッドと連通し、インクタンク１１から液体噴射ヘッドにインクが供給される。
【００４１】
使用者は、タンク収容ケース１０の内部に収容された物差し２０を取り出し、設置面ＰＦからのインクの水位ＬＶを視認する。
【００４２】
図３（ｂ）は、図１（ａ）のプリンター１、図３（ａ）のプリンター１ａとは異なる別のプリンター１ｂにタンク収容ケース１０を装着した状態における斜視図である。プリンター１ｂは、印刷部７０と読み取り部８０とを備える。
【００４３】
印刷部７０は、用紙サポート７１に載置された用紙Ｐを、筐体７４に備えられた給紙装置（不図示）によって筐体７４の内部に給紙し、筐体７４の内部に備えられた液体噴射ヘッド（不図示）を移動方向Ｄ１に往復移動させながら、搬送される用紙Ｐに対してインクを噴射し、用紙Ｐに文字や画像を記録する。そして、印刷部７０は、文字や画像が形成された用紙Ｐを、排出口７３から搬送方向Ｄ２下流側に排出する。
【００４４】
読み取り部８０は、筐体８３の上部に設けられた透明性を有する原稿台８２、原稿台８２を覆うことができる回動可能なカバー８１、イメージセンサーなどを搭載した読み取りユニット（不図示）などを備える。読み取り部８０は、原稿台８２に載置された原稿（不図示）をカバー８１で覆った状態で、読み取りユニットを移動させ、原稿に描かれた文字や画像を読み取る。
【００４５】
筐体７４には、電源のオン・オフの操作や、印刷条件や読み取り条件などの設定を行う操作ボタン７２が備えられる。
【００４６】
タンク収容ケース１０の係合部１２が、筐体７４の装着部７５に設けられた被係合部７５１と係合または非係合の状態となることにより、タンク収容ケース１０は、筐体７４の装着部７５に着脱可能に装着される。インクタンク１１は、液体チューブ（不図示）によって液体噴射ヘッドと連通し、インクタンク１１から液体噴射ヘッドにインクが供給される。
【００４７】
使用者は、タンク収容ケース１０の内部に収容された物差し２０を取り出し、設置面ＰＦからのインクの水位ＬＶを視認する。
【００４８】
以上、本実施形態で説明したプリンター１は、液体としてのインクを噴射する液体噴射ヘッド３と、インクを貯留し、貯留されたインクの水位ＬＶが視認可能な液体タンクとしてのインクタンク１１と、液体噴射ヘッド３とインクタンク１１とを連通する導管としての液体チューブ４と、液体噴射ヘッド３を収容した筐体２とは別体に構成され、インクタンク１１を収容したタンク収容ケース１０と、タンク収容ケース１０の内部に設けられ、インクの水位ＬＶを測定するための物差し２０を収容する物差し収容部と、を備える。
【００４９】
この構成によれば、物差し２０を収容するための物差し収容部を、プリンター１の筐体２や装着部５、プリンター１ａの筐体６２、プリンター１ｂの筐体７４や装着部７５などに設けなくてもよい。そのため、物差し２０を収容する物差し収容部が備えられたタンク収容ケース１０を、外観や大きさの異なる筐体２，６２，７４に対して共通のタンク収容ケース１０として備えることができるので、プリンター１，１ａ，１ｂの製造コストの増加を抑制できる。
【００５０】
また、物差し収容部は、図２（ａ）のタンク収容ケース１０の上壁部１０１に設けられ、物差し２０が通る開口部１３と、タンク収容ケース１０の背面壁部１０２の内側に水平方向に立設して物差し２０を下側から支持する水平壁部１０３とを有し、タンク収容ケース１０の内部に設けられる。これにより、物差し２０がタンク収容ケース１０の内部に収容されるので、美観がよい。
【００５１】
また、物差し２０は、物差し２０の長手方向Ｄ４が鉛直方向Ｄ３になる姿勢で収容される。これにより、使用者は、タンク収容ケース１０の内部に収容されている物差し２０を鉛直方向Ｄ３上側に引き出し、物差し２０の長手方向Ｄ４が鉛直方向Ｄ３となるそのままの姿勢で下側に物差し２０を下げて水位ＬＶを測定すればよいので、容易に測定できる。
【００５２】
また、水位ＬＶを測定した後、物差し２０の長手方向Ｄ４が鉛直方向Ｄ３となるそのままの姿勢で、物差し２０の下端部を開口部１３の位置まで移動させ、物差し２０の自重により、物差し２０を下げることができるので、物差し２０を容易に収容できる。
【００５３】
また、物差し収容部は、鉛直方向Ｄ３に延設された図２（ｂ）の鉛直壁部１０４を有する。これにより、物差し２０が鉛直方向Ｄ３に対して傾斜することを抑制できる。
【００５４】
（実施形態２）
実施形態２では、タンク収容ケースの内部における正面側に物差しを収容するプリンターについて説明する。図４（ａ）は、実施形態２におけるタンク収容ケース１０ａの外観斜視図である。タンク収容ケース１０ａは、図１（ａ）のプリンター１の筐体２に設けられた装着部５に着脱可能に装着される。
【００５５】
タンク収容ケース１０ａは、タンク収容ケース１０ａの内部における正面側に物差し２０ａを収容する物差し収容部を備え、物差し２０ａは、この物差し収容部に収容される。
【００５６】
物差し２０ａがタンク収容ケース１０ａに収容された状態において、物差し２０ａは、タンク収容ケース１０ａの上壁部１０１より下側に位置する測定部２０２と、上壁部１０１から上側に突出する把持部２０１とから構成される。使用者は、把持部２０１を把持し、物差し２０ａをタンク収容ケース１０ａから容易に引き出すことができる。
【００５７】
図４（ｂ）は、紐状部材２０３を有する物差し２０ｂが収容されたタンク収容ケース１０ａの外観斜視図である。タンク収容ケース１０ａは、図１（ａ）のプリンター１の筐体２に設けられた装着部５に着脱可能に装着される。物差し２０ｂは、把持部としての紐状部材２０３と測定部２０４とを有する。
【００５８】
物差し２０ｂがタンク収容ケース１０ａに収容された状態において、測定部２０４は、タンク収容ケース１０ａの開口部１４より下側に位置し、紐状部材２０３は、開口部１４よりはみ出した状態となる。これにより、使用者は、物差し２０ｂをタンク収容ケース１０ａから取り出して水位ＬＶを測定しようとするとき、紐状部材２０３を把持し、物差し２０ｂをタンク収容ケース１０ａから容易に引き出すことができる。
【００５９】
また、把持部を紐状部材２０３から構成することにより、物差し２０ｂをタンク収容ケース１０ａに収容した状態において、物差し２０ｂの上端部の位置を低くすることができる。実施形態２のプリンターのその他の構成は、実施形態１で説明したプリンター１の構成と同じである。
【００６０】
（実施形態３）
実施形態３では、物差しの長手方向Ｄ４が水平方向となる状態で収容するタンク収容ケースを備えたプリンターについて説明する。図５（ａ）は、実施形態３におけるタンク収容ケース１０ｂの外観斜視図である。図５（ｂ）は、図５（ａ）の破線Ｃ−Ｃ´の断面位置において矢印で示す移動方向Ｄ１から見たタンク収容ケース１０ｂの断面図である。
【００６１】
タンク収容ケース１０ｂの正面壁部１０５には、開口部１５が設けられる。開口部１５の下側には、図５（ｂ）のインクタンク１１の上側に位置し、側壁部である正面壁部１０５の内側に水平方向に立設し、背面壁部１０２側に延び、物差し２０を下側から支持する水平壁部１０６が形成される。また、水平壁部１０６と接続され、上壁部１０１から下側に立設し、物差し２０の背面壁部１０２側への移動を規制する垂直壁部１０７が形成される。
【００６２】
タンク収容ケース１０ｂの内部におけるインクタンク１１の上部には、上壁部１０１、水平壁部１０６、垂直壁部１０７によって囲まれる物差し収容部が形成される。この物差し収容部には、物差し２０が開口部１５から突出した状態で収容される。物差し２０の長手方向Ｄ４が水平方向となる状態で、物差し２０が収容されるので、物差し２０が収容された状態において、物差し２０が、鉛直方向Ｄ３においてタンク収容ケース１０ｂから突出することがない。すなわち、物差し２０を収容した状態において鉛直方向Ｄ３における高さを抑制できる。実施形態３のプリンターのその他の構成は、実施形態１で説明したプリンター１の構成と同じである。
【００６３】
（実施形態４）
実施形態４では、タンク収容ケースの外側に、物差し収容部としての箱状の容器を形成したプリンターについて説明する。図６（ａ）は、実施形態４におけるタンク収容ケース１０ｃの外観斜視図である。図６（ｂ）は、破線Ｅ−Ｅ´の断面位置において物差し収容部１６を、矢印方向で示す背面側すなわち搬送方向Ｄ２上流側から見た断面図である。
【００６４】
タンク収容ケース１０ｃの背面壁部１０２の外側には、物差し収容部１６が設けられる。物差し収容部１６は、背面壁部１０２から搬送方向Ｄ２上流側に立設し、鉛直方向Ｄ３に延びる垂直壁部１６２，１６３、垂直壁部１６２，１６３と接続され、背面壁部１０２と対向し背面壁部１０２から離れた位置にあり、鉛直方向Ｄ３に延びる垂直壁部１６１を有する。
【００６５】
垂直壁部１６１，１６２，１６３によって、上側に開口する開口部１６５が形成される。開口部１６５の下側には、水平壁部１６４が形成される。水平壁部１６４は、タンク収容ケース１０ｃの背面壁部１０２から外側に立設して物差し２０を下側から支持する。
【００６６】
物差し収容部１６は、背面壁部１０２、垂直壁部１６１，１６２，１６３、水平壁部１６４によって囲まれた空間と、開口部１６５とを有し、箱状の容器を形成する。物差し２０は、長手方向Ｄ４が鉛直方向Ｄ３となる状態で、物差し収容部１６に収容される。
【００６７】
物差し収容部１６は、タンク収容ケース１０ｃの外側に設けられるので、上壁部１０１を低くできる。また、上壁部１０１における移動方向Ｄ１の長さおよび搬送方向Ｄ２の長さを短くできる。すなわち、タンク収容ケース１０ｃにおける物差し収容部１６を除く部分を小さくできる。また、上側に開口する開口部１６５が形成された箱状であるので、使用者は、物差し２０を、物差し収容部１６に収容したり物差し収容部１６から取り出したりすることが容易である。実施形態４のプリンターのその他の構成は、実施形態１で説明したプリンター１の構成と同じである。
【００６８】
（実施形態５）
実施形態５では、タンク収容ケースの外側に、物差し収容部としての袋状の容器を備えたプリンターについて説明する。図７（ａ）は、実施形態５におけるタンク収容ケース１０ｄの外観斜視図である。正面壁部１０８には、サック３０が備えられる。
【００６９】
図７（ｂ）は、サック３０の斜視図である。サック３０は、正面壁部１０８に固定される支持板３０１と開口部３０３を有する袋部３０２とから構成される。サック３０は、革や軟性樹脂などの軟性材料を用いて袋状に形成される。支持板３０１を固い材料で形成し、袋部３０２を、軟性材料を用いて形成してもよい。
【００７０】
物差し２０を収容する物差し収容部としてのサック３０を備えることにより、物差し収容部を小さくすることができる。また、プリンターの製造コストが増加することを抑制できる。実施形態５のプリンターのその他の構成は、実施形態１で説明したプリンター１の構成と同じである。
【００７１】
（実施形態６）
実施形態６では、物差しを脱着可能に固定する固定部材を、タンク収容ケースに備えたプリンターについて説明する。図８（ａ）は、実施形態６におけるタンク収容ケース１０ｅの外観斜視図である。
【００７２】
タンク収容ケース１０ｅの上壁部１０１には、物差し２０を脱着可能に固定する固定部材４０が設けられる。固定部材４０は、下側固定部材４０１と上側固定部材４０２とから構成される。
【００７３】
図８（ｂ）は、上側固定部材４０２の斜視図である。上側固定部材４０２は、球状部４０６を有する一対の上側ボタン４０５が備えられる。図８（ｃ）は、下側固定部材４０１の斜視図である。下側固定部材４０１は、円状の凹部４０４を有する一対の下側ボタン４０３が備えられる。
【００７４】
図８（ｂ）の球状部４０６は、凹部４０４に嵌合可能である。下側固定部材４０１は、下側ボタン４０３が設けられた面と反対側の面がタンク収容ケース１０ｅの上壁部１０１に固定される。球状部４０６と凹部４０４とは、嵌合した状態または離間した状態となることができるので、下側ボタン４０３と上側ボタン４０５とは、結合状態または非結合の状態となることができる。
【００７５】
これにより、下側ボタン４０３と上側ボタン４０５との結合状態において、上側固定部材４０２と下側固定部材４０１とによって物差し２０を挟んだ状態でタンク収容ケース１０ｅの上壁部１０１に固定する。また、上側ボタン４０５を下側ボタン４０４から取り外し、上側固定部材４０２と下側固定部材４０１とを離間させることによって物差し２０を取り外すことができる。
【００７６】
このように、上側固定部材４０２と下側固定部材４０１とによって物差し収容部を構成することにより、物差し２０を装着した状態において、物差し２０が物差し収容部から離脱することを抑制できる。また、プリンターの製造コストが増加することを抑制できる。実施形態６のプリンターのその他の構成は、実施形態１で説明したプリンター１の構成と同じである。
【００７７】
図９（ａ）は、固定部材としてマジックテープ（登録商標）によって、物差し２０をタンク収容ケース１０ｆの上壁部１０１に固定した状態を示す斜視図である。マジックテープ（登録商標）である下側帯状部材４１１と上側帯状部材４１２によって、物差し２０をタンク収容ケース１０ｆの上壁部１０１に固定する。
【００７８】
下側帯状部材４１１と上側帯状部材４１２のうちの一方は、フック状の部材が密集した面を有し、他方は、フック状の部材と係合可能なリング状の部材が密集した面を有する。
【００７９】
下側帯状部材４１１の一方の面は、タンク収容ケース１０ｆの上壁部１０１に固定され、下側帯状部材４１１の他方の面は、上側帯状部材４１２と接合可能に備えられる。下側帯状部材４１１と上側帯状部材４１２とによって、物差し２０を収容する物差し収容部を構成することができる。
【００８０】
また、粘着性を有する帯状部材を用いて、物差し２０を収容する物差し収容部を構成してもよい。図９（ｂ）は、粘着性を有する帯状部材４２によって、物差し２０をタンク収容ケース１０ｇの上壁部１０１に固定した状態を示す斜視図である。粘着性を有する帯状部材４２を用いて、タンク収容ケース１０ｇの上壁部１０１に物差し２０を固定し、上壁部１０１から帯状部材４２を取り外すことにより、上壁部１０１から物差し２０を取り外すことができる。
【符号の説明】
【００８１】
１，１ａ，１ｂ…インクジェットプリンター、２…筐体、４…液体チューブ、１０，１０ａ，１０ｂ，１０ｃ，１０ｄ，１０ｅ，１０ｆ，１０ｇ…タンク収容ケース、１１，１１ｂ，１１ｃ，１１ｍ，１１ｙ…インクタンク、１３，１４，１５…開口部、１６…物差し収容部、３０…サック、４０…固定部材、４２…帯状部材、１０３，１０４，１０６，１６１，１６２，１６３，１６４…壁部、１６５…開口部、２０１…把持部、２０２，２０４…測定部、２０３…紐状部材、３０１…支持板、３０２…袋部、３０３…開口部、４０１…下側固定部材、４０２…上側固定部材、４０３…下側ボタン、４０４…凹部、４０５…上側ボタン、４０６…球状部、４１１…下側帯状部材、４１２…上側帯状部材、Ｄ３…鉛直方向、Ｄ４…長手方向。
【図１】
2014046556.tif 000003
【図２】
2014046556.tif 000004
【図３】
2014046556.tif 000005
【図４】
2014046556.tif 000006
【図５】
2014046556.tif 000007
【図６】
2014046556.tif 000008
【図７】
2014046556.tif 000009
【図８】
2014046556.tif 000010
【図９】
2014046556.tif 000011
【図１０】
2014046556.tif 000012